(57)【要約】      （修正有）【課題】入り組んだ目地を形成することが可能なタイルユニットと、このタイルユニットを用いたタイル壁を提供する。【解決手段】平部用タイルユニット１０は、細長い棒状の同一長さのタイル１１を複数本平行に揃え、合成樹脂フィルム、紙などよりなる連結体１２を裏面に接着して連結し一体化したものである。タイルユニット１０は左右を逆にするように１８０°回しても同一形状である。左右に並べて突き合わせると、左側のタイルユニット１０の右端部と右側のタイルユニット１０の左端部とが完全に合一状に係合し、一方のタイルユニットのタイルの端部同士の間に他方のタイルユニットのタイルの端部が入り込む。【選択図】図３
2006083536.tif 000002
【特許請求の範囲】
【請求項１】
長方形のタイルが、長手方向を平行にして３列以上配置され、それらの裏面に貼着されたネット又はシート状の連結体によって連結されたタイルユニットにおいて、
該タイルの長手方向が左右方向となるように壁面に配置した状態において、少なくとも３列にあっては、各列におけるタイルの長手方向両端部の左右方向位置が異なっていることを特徴とするタイルユニット。
【請求項２】
請求項１において、上下に隣接するタイルにあっては、長手方向両端部の左右方向位置が異なっていることを特徴とするタイルユニット。
【請求項３】
請求項１又は２において、該タイルユニットは上下及び左右が逆となるように１８０°回転させても各タイルの長手方向両端部の位置が同一となる点対称形状であることを特徴とするタイルユニット。
【請求項４】
請求項１ないし３のいずれか１項において、タイル同士の目地間隙を維持するための目地間隙維持手段を備えたことを特徴とするタイルユニット。
【請求項５】
長方形のタイルが、長手方向を平行にして３列以上配置され、それらの裏面に貼着されたネット又はシート状の連結体によって連結されたタイルユニットにおいて、
該タイルの長手方向が左右方向となるように壁面に配置した状態において、少なくとも３列にあっては、各列におけるタイルの長手方向一端部の左右方向位置が異なっており、各列におけるタイルの長手方向他端部の左右方向位置は上下に隣接するタイル同士で異なり、且つタイル１つおきに同一であることを特徴とするタイルユニット。
【請求項６】
請求項５において、上下に隣接するタイルにあっては、長手方向の該一端部の左右方向位置が異なっていることを特徴とするタイルユニット。
【請求項７】
請求項５又は６において、タイル同士の目地間隙を保つための目地間隙維持手段を備えたことを特徴とするタイルユニット。
【請求項８】
請求項４又は７において、該目地間隙維持手段は、タイルの目地に臨む側面に設けられた凸部であることを特徴とするタイルユニット。
【請求項９】
請求項８において、該凸部はタイルの該側面の厚さ方向の中間付近に設けられていることを特徴とするタイルユニット。
【請求項１０】
請求項４又は７において、該目地間隙維持手段は、該目地間隙に介在する接着剤硬化物であることを特徴とするタイルユニット。
【請求項１１】
請求項１０において、前記連結体とタイル裏面とが接着剤によって接着されており、この接着剤と前記接着剤硬化物とが一連一体となっていることを特徴とするタイルユニット。
【請求項１２】
請求項１１において、該目地間隙に介在する前記接着剤硬化物は、前記連結体からタイル厚みの１０〜４０％の範囲まで存在することを特徴とするタイルユニット。
【請求項１３】
請求項１１又は１２において、該タイルの裏側の角縁部が面落し状の斜面となっていることを特徴とするタイルユニット。
【請求項１４】
請求項１ないし１３のいずれか１項において、少なくとも一部の隣接タイルの厚さが異なることを特徴とするタイルユニット。
【請求項１５】
請求項１ないし４のいずれか１項に記載の複数のタイルユニットを壁面に張り付けたタイル壁であって、
タイルユニットの一端側における各タイル同士の間に対し、隣接配置されたタイルユニットの他端側におけるタイルの端部が入り込むように各タイルユニット同士を係合させてあることを特徴とするタイル壁。
【請求項１６】
請求項５ないし７のいずれか１項に記載のタイルユニット（以下、隅用タイルユニットという。）をタイル長手方向が水平方向となるように壁の出隅又は入隅を挟んだ両壁面にそれぞれ張り付けたタイル壁であって、
該隅用タイルユニットは、その前記他端部側が隅側となるように配置され、
該隅を挟んだ一方の壁面に張り付けられた隅用タイルユニットは他方の壁面に張り付けられた隅用タイルユニットを左右逆となるように１８０°回転させたものであり、
一方の隅用タイルユニットの該隅側におけるタイル同士の間に対し他方の隅用タイルユニットの該隅側におけるタイルの端部が入り込むように双方の隅用タイルユニットを係合させてあることを特徴とするタイル壁。
【請求項１７】
請求項１６において、該隅用タイルユニットに水平方向に隣接して請求項１ないし４のいずれか１項に記載のタイルユニット（以下、平部用タイルユニットという。）をそのタイル長手方向が水平方向となるように壁面に張り付けた構造であって、
該隅用タイルユニットの隅と反対側におけるタイル同士の間に、該平部用タイルユニットの隅近傍側のタイルの端部を係合させるようにして、該隅用タイルと平部用タイルとを係合させてあることを特徴とするタイル壁。
【請求項１８】
請求項１７において、隅用タイルユニットと平部用タイルユニットとは、タイルの上下方向の数が同一であることを特徴とするタイル壁。
【発明の詳細な説明】
【技術分野】
【０００１】
本発明は、複数個のタイルユニットを紙、フィルム、ネット等の連結体によって連結したタイルユニットに関するものであり、特に、この連結体がタイルの裏面に接着されているタイルユニットに関する。また、本発明は、このタイル壁を張り付けたタイル壁に関するものである。
【背景技術】
【０００２】
タイルユニットとして、第１０図に示す如く、タイル２の裏面に、隣接するタイルに架け渡すように薄い合成樹脂フィルムや紙などよりなる連結体３を接着剤で接着することにより、複数個のタイル２を連結したものがある。このタイルユニット１は、１回のタイル張り操作で、複数個のタイルを施工することができ、施工作業の軽減、工期の短縮に有効であることから、従来、内外装用タイルの施工用に広く用いられている。
【０００３】
このようなタイルユニット１は、複数個のタイル２を、裏面を上にして型枠などに入れて整列させ、紙などの連結体をタイル裏面に接着することにより製造されている（例えば、特開平８−１０９７３０号公報）。合成樹脂フィルムや紙の代わりに、ガラス繊維等の高弾性率の繊維よりなるネットをタイル整列体の裏面に接着したタイルユニットも近年開発されている。
【０００４】
第１１図（ａ）は、上記のタイルユニット１を壁面４に張り付ける方法を示す模式的な縦断面図であり、壁面４には変性シリコン系あるいはエポキシ系接着剤等よりなるタイル張り用接着剤層５が塗着されている。なお、第１１図（ａ）のタイルユニット１は第１０図のＡ−Ａ線に沿う断面を示している。
【特許文献１】特開平８−１０９７３０号公報
【発明の開示】
【発明が解決しようとする課題】
【０００５】
Ｉ．上記従来のタイルユニットは、側端面の位置が揃っているため、タイルを水平横長にして壁に張り付け施工した場合、すべての縦目地が上下一直線に延在した通し目地となり、意匠上の面白みに欠け易い。
【０００６】
本発明は、入り組んだ目地を形成することが可能なタイルユニットと、このタイルユニットを用いたタイル壁を提供することを目的とする。
【０００７】
II．上記従来のタイルユニット１にあっては、第１１図（ｂ）の如く、施工時や持ち運び時に目地間隙Ｃを狭めるように変形（例えば凹反り）するため、取り扱いにくいという不便があった。
【０００８】
本発明は、その一態様において凹反り等の変形が抑制ないし防止され、取り扱い易いタイルユニットとこれを用いたタイル壁を提供することを目的とする。
【課題を解決するための手段】
【０００９】
本発明（請求項１）のタイルユニットは、長方形のタイルが、長手方向を平行にして３列以上配置され、それらの裏面に貼着されたネット又はシート状の連結体によって連結されたタイルユニットにおいて、該タイルの長手方向が左右方向となるように壁面に配置した状態において、少なくとも３列にあっては、各列におけるタイルの長手方向両端部の左右方向位置が異なっていることを特徴とするものである。
【００１０】
なお、このタイルユニットは、主として壁の出隅又は入隅以外の平部に張り付け施工されるものであるところから、以下、この請求項１及びその従属請求項に係るタイルユニットを平部用タイルユニットということがある。
【００１１】
請求項２のタイルユニットは、請求項１において、上下に隣接するタイルにあっては、長手方向両端部の左右方向位置が異なっていることを特徴とするものである。
【００１２】
請求項３のタイルユニットは、請求項１又は２において、該タイルユニットは上下及び左右が逆となるように１８０°回転させても各タイルの長手方向両端部の位置が同一となる点対称形状であることを特徴とするものである。
【００１３】
請求項４のタイルユニットは、請求項１ないし３のいずれか１項において、タイル同士の目地間隙を維持するための目地間隙維持手段を備えたことを特徴とするものである。
【００１４】
本発明（請求項５）のタイルユニットは、長方形のタイルが、長手方向を平行にして３列以上配置され、それらの裏面に貼着されたネット又はシート状の連結体によって連結されたタイルユニットにおいて、該タイルの長手方向が左右方向となるように壁面に配置した状態において、少なくとも３列にあっては、各列におけるタイルの長手方向一端部の左右方向位置が異なっており、各列におけるタイルの長手方向他端部の左右方向位置は上下に隣接するタイル同士で異なり、且つタイル１つおきに同一であることを特徴とするものである。
【００１５】
なお、この請求項５のタイルユニットは、主として、出隅又は入隅に張り付け施工されるものであるところから、以下この請求項５及びその従属請求項に係るタイルユニットを隅用タイルユニットということがある。
【００１６】
請求項６のタイルユニットは、請求項５において、上下に隣接するタイルにあっては、長手方向の該一端部の左右方向位置が異なっていることを特徴とするものである。
【００１７】
請求項７のタイルユニットは、請求項５又は６において、タイル同士の目地間隙を保つための目地間隙維持手段を備えたことを特徴とするものである。
【００１８】
請求項８のタイルユニットは、請求項４又は７において、該目地間隙維持手段は、タイルの目地に臨む側面に設けられた凸部であることを特徴とするものである。
【００１９】
請求項９のタイルユニットは、請求項８において、該凸部はタイルの該側面の厚さ方向の中間付近に設けられていることを特徴とするものである。
【００２０】
請求項１０のタイルユニットは、請求項４又は７において、該目地間隙維持手段は、該目地間隙に介在する接着剤硬化物であることを特徴とするものである。
【００２１】
請求項１１のタイルユニットは、請求項１０において、前記連結体とタイル裏面とが接着剤によって接着されており、この接着剤と前記接着剤硬化物とが一連一体となっていることを特徴とするものである。
【００２２】
請求項１２のタイルユニットは、請求項１１において、該目地間隙に介在する前記接着剤硬化物は、前記連結体からタイル厚みの１０〜４０％の範囲まで存在することを特徴とするタイルユニット。
【００２３】
請求項１３のタイルユニットは、請求項１１又は１２において、該タイルの裏側の角縁部が面落し状の斜面となっていることを特徴とするものである。
【００２４】
請求項１４のタイルユニットは、請求項１ないし１３のいずれか１項において、少なくとも一部の隣接タイルの厚さが異なることを特徴とするものである。
【００２５】
本発明（請求項１５）のタイル壁は、請求項１ないし４のいずれか１項に記載の複数のタイルユニットを壁面に張り付けたタイル壁であって、タイルユニットの一端側における各タイル同士の間に対し、隣接配置されたタイルユニットの他端側におけるタイルの端部が入り込むように各タイルユニット同士を係合させてあることを特徴とするものである。
【００２６】
本発明（請求項１６）のタイル壁は、請求項５ないし７のいずれか１項に記載のタイルユニットをタイル長手方向が水平方向となるように壁の出隅又は入隅を挟んだ両壁面にそれぞれ張り付けたタイル壁であって、該隅用タイルユニットは、その前記他端部側が隅側となるように配置され、該隅を挟んだ一方の壁面に張り付けられた隅用タイルユニットは他方の壁面に張り付けられた隅用タイルユニットを左右逆となるように１８０°回転させたものであり、一方の隅用タイルユニットの該隅側におけるタイル同士の間に対し他方の隅用タイルユニットの該隅側におけるタイルの端部が入り込むように双方の隅用タイルユニットを係合させてあることを特徴とするものである。
【００２７】
請求項１７のタイル壁は、請求項１６において、該隅用タイルユニットに水平方向に隣接して請求項１ないし４のいずれか１項に記載のタイルユニットをそのタイル長手方向が水平方向となるように壁面に張り付けた構造であって、該隅用タイルユニットの隅と反対側におけるタイル同士の間に、該平部用タイルユニットの隅近傍側のタイルの端部を係合させるようにして、該隅用タイルと平部用タイルとを係合させてあることを特徴とするものである。
【００２８】
請求項１８のタイル壁は、請求項１７において、隅用タイルユニットと平部用タイルユニットとは、タイルの上下方向の数が同一であることを特徴とするものである。
【発明の効果】
【００２９】
本発明（請求項１）の平部用タイルユニットにあっては、タイルの長手方向の両端部の左右方向位置が異なっており、入り組んだ目地を有したタイル壁を構築することができる。
【００３０】
請求項２の通り、上下に隣接するタイルの長手方向両端部の左右方向位置を異ならせることにより、目地をさらに入り組んだものとすることができる。
【００３１】
請求項３の通り、この平部用タイルユニットは、左右が逆となるように１８０°回転させても各タイルの長手方向両端部の位置が同一となる点対称形状であることが好ましい。このように構成された平部用タイルユニットは、左右の向きを確認することなく壁面に張り付けることができ、張り付け施工効率が向上する。
【００３２】
本発明（請求項５）の隅用タイルユニットは、出隅又は入隅に臨むように且つタイル長手方向が水平方向となるように壁面に張り付け施工される。この場合、該隅用タイルユニットの長手方向該一端部が隅部から遠い位置を占め、該隅用タイルユニットの長手方向他端部が隅部側となるようにタイルユニットを張り付ける。
【００３３】
この場合も、タイルの縦目地が入り組んだものとなる。
【００３４】
この隅用タイルの長手方向該一端側においては、請求項７の通り、上下に隣接するタイル端部の左右方向位置を異ならせることにより、縦目地を細かく入り組んだものとすることができる。この隅用タイルユニットでは、タイルを偶数個配列することが好ましい。これにより、隅を挟んで両壁面に隅用タイルユニットを配置したときに、両タイルユニットを同一高さに揃えて係合させることができる。
【００３５】
請求項４，７の通り、この平部用タイルユニット及び隅用タイルユニットに目地間隙維持手段を設けた場合には、目地間隙を狭める変形が抑制ないし防止されるため、取り扱いが容易となる。
【００３６】
特に、複数のタイルユニットを、隣接する一方のタイルユニットのタイルの端部を他方のタイルユニットのタイル同士の間に入り込ませるように係合させてタイルユニットの張り付け作業を行う場合、この目地間隙が維持されているとタイルユニット同士の係合作業効率が格段に良好なものとなる。
【００３７】
請求項８の通り、この目地間隙維持手段として、タイルの端面に凸部を設けてもよい。この場合、目地間隙を狭めるようにタイルユニットが変形しようとすると、一方のタイルが隣接するタイルの凸部に当り、上記変形が抑制ないし防止される。
【００３８】
この凸部は、前過ぎるとタイルユニット前方から視認され、後過ぎると目地間隙維持機能が弱くなるので、タイルの厚さ方向の中間付近に設けられることが好ましい（請求項９）。
【００３９】
請求項１０の通り、この目地間隙維持手段は、目地間隙に介在する接着剤硬化物であってもよい。この場合、請求項１１の通り、シート、フィルム等の連結体をタイルに接着するための接着剤とこの目地間隙の接着剤硬化物とが一連一体となっていることが望ましい。かかる構成のタイルユニットにあっては、連結体に接着剤を付着させておき、この連結体をタイル裏面に貼り付ける際に余剰の接着剤を目地間隙に押し込んで接着剤硬化物を形成することができる。
【００４０】
この場合、請求項１２の通り、接着剤硬化物が連結体からタイル厚みの１０〜４０％の範囲まで存在することにより目地間隙維持機能が十分に高いものとなる。
【００４１】
このようにタイル同士の間に接着剤を押し込む場合、請求項１３の通り、タイルの裏側の角縁部を面落し状の斜面とすることにより、接着剤が目地間隙に押し込まれ易くなる。
【００４２】
請求項１４の通り、本発明のタイルユニットにおいて、少なくとも一部の隣接するタイルの厚さを異ならせることにより、凹凸感に富んだタイル張り壁面を構築することができる。このタイル張り壁面にあっては、縦目地が入り組んでいることと相俟って極めて意匠性の高いものとなる。
【００４３】
本発明（請求項１５）のタイル壁は、上記平部用タイルユニットを壁面に張り付けたものであり、タイルユニットの一端側のタイル間に隣接タイルユニットの他端側のタイル端部が入り込んでおり、入り組んだ目地が形成される。
【００４４】
本発明（請求項１６）のタイル壁は、上記隅用タイルユニットを、その一端部側が隅から離隔し、他端部側が隅に臨むように建物隅部を挟んだ両壁面に張り付け施工したものであり、双方の隅用タイルユニットのタイル端部同士が入り込み合う。これにより、隅部においてもタイルの端部同士が入り組んで係合した仕上げとすることができる。
【００４５】
このように隅部に隅用タイルユニットを張り付け施工した場合、この隅用タイルユニットに隣接して上記平部用タイルユニットを張り付け施工し、且つ隅用タイルユニットの一端側のタイル間に平部用タイルユニットの他端側のタイル端部を入り込ませることにより、壁面全体にわたって縦目地が入り組んだタイル張り壁面を構築することができる。
【００４６】
この場合、請求項１８の通り、隅用タイルユニットと平部用タイルユニットとのタイルの上下方向の数を同一とすることにより、タイル張り付け作業性が著しく向上する。
【発明を実施するための最良の形態】
【００４７】
以下、図面を参照して実施の形態について説明する。第１図は実施の形態に係る平部用タイルユニットの正面図、第２図はその斜視図、第３図はその裏側の斜視図、第４図は施工方法の説明図、第５図は構築されたタイル壁の立面図である。第６図は第５図のタイル壁の出隅に用いられている隅用タイルユニットの正面図、第７図はその斜視図、第８図は出隅における隅用タイルユニットの係合関係を示す斜視図、第９図は出隅の斜視図である。なお、図面を明瞭とするために第５図では横目地の図示を省略してある。
【００４８】
まず、第１図〜第４図を参照して平部用タイルユニット１０を説明する。
【００４９】
この平部用タイルユニット１０は、細長い棒状の同一長さのタイル１１を複数本（この実施の形態では８本）平行に揃え、合成樹脂フィルム、紙などよりなる連結体１２を裏面に接着して連結し一体化したものである。このタイル１１は、長手方向の長さが短手幅の約１１倍の細長いものである。
【００５０】
最上段（第１段）と第７段のタイル１１の右端は、タイルユニットの右端部から最も後退し、第２段と第８段のタイル１１の右端部はタイルユニットの最右端部に位置する。第３段と第５段のタイル１１の右端は、それよりも若干後退し、第４段と第６段のタイルの右端はそれからさらに後退している。
【００５１】
かかるタイル配列としているため、このタイルユニット１０は、上下及び左右を逆にするように１８０°回しても同一形状である。
【００５２】
各タイル１１が同一長さであるから、このタイルユニット１０は、第４図の如く左右に並べて突き合わせると、左側のタイルユニット１０の右端部と右側のタイルユニット１０の左端部とが完全に合一状に係合し、一方のタイルユニットのタイルの端部同士の間に他方のタイルユニットのタイルの端部が入り込む。
【００５３】
従って、この平部用タイルユニットを壁面両平部に上下左右に並設し張り付けることにより、第５図の如く縦目地が通らない意匠性に優れたタイル壁を構築することができる。
特に、この実施の形態では、タイルユニット１０の隣接する各タイルの端部の左右方向位置が異なっているため、すべての縦目地が細かく食い違っており、入り組んだ縦目地となっている。
【００５４】
なお、この平部用タイルユニット１０は、後述の隅用タイルユニット２０と組み合わせるために偶数本のタイル１１にて構成されることが望ましい。
【００５５】
次に、隅用タイルユニット２０について第６図〜第９図を参照して説明する。
【００５６】
このタイルユニットは、２種類の細長いタイル２１，２２を４本ずつ平行に配列し、前記連結体１２と同様の連結体（図示略）を各タイル２１，２２の裏面に接着して一体化したものである。短い方のタイル２１の長手方向長さは短手幅の約７倍であり、長い方のタイル２２の長手方向長さは短手幅の約１３倍である。このタイル２１，２２の短手幅はタイル１１の短手幅と同一である。
【００５７】
タイルユニット１０，２０の目地幅は同一である。
【００５８】
第６図の状態では、短いタイル２１は最上段（第１段）と４，６，７段に配置され、長いタイル２２は２，３，５，８段に配置されている。奇数段の１，３，５，７段のタイルの左端はタイルユニットの最左端に位置し、偶数段の２，４，６，８段のタイルの左端はそれよりもタイル厚み分だけ後退している。従って、タイルユニット２０の右端側にあっては、１，７段の右端が最も後退し、２，８段の右端が最も突出し、３，５段の右端がそれからタイル厚み分だけ後退し、４，６段の右端がそれからさらに後退している。４，６段の右端は１，７段の右端よりもタイル厚み分だけ右方へ突出している。
【００５９】
このタイルユニット２０の各タイル２１，２２の右端の位置関係は、前記タイルユニット１０のタイル１１の右端の位置関係と同一である。第７図と第８図の右半側は、この第６図の姿勢にあるタイルユニット２０の斜視図である。
【００６０】
このタイルユニット２０を第６図の状態から上下及び左右逆となるように１８０°回転させた状態（以下、反転状態という。）が第８図の左半側に示されている。タイル２１，２２の合計本数が偶数であるため、この反転状態のタイルユニット１０の右端のタイル２１，２２の出入りは、第８図の右側のタイルユニット１０の左端のタイル２１，２２の出入りと逆になる。即ち、反転状態のタイルユニット１０の右端では、偶数段のタイルの右端部が出張り、奇数段のタイルの右端部が後退している。従って、出隅を挟んだ双方の壁面に同一高さにてタイルユニット２０を第８図の如く配置した場合、第９図の通り、両タイルユニット２０の端部を出隅の凸角部で係合させることができる。
【００６１】
第９図の通り、左側の反転状態にあるタイルユニット２０の各タイル２１，２２の左端部の位置関係は、前記タイルユニット１０の右端側における各タイル１１の位置関係と合致する。
【００６２】
第９図の通り、出隅に張り付け施工された各タイルユニット２０に隣接して各壁面にタイルユニット１０を張り付け施工することにより、第５図に示すタイル壁が構築される。このタイル壁では、出隅においても出隅両側のタイルユニット２０のタイル２１，２２の端部同士が噛合状に係合しており、見栄えが極めて良好である。
【００６３】
上記第５，８，９図では、出隅にタイルユニット２０が張り付け施工されているが、入隅の場合も同様にタイルユニット２０の端部同士を噛合状に係合させることができる。
【００６４】
上記の如く、各タイルユニット１０，２０を張り付け施工する場合、隣接するタイルユニットのタイルの端部同士を噛合状に係合させるのであるが、この場合、タイルユニットの左右両端においてタイル同士の間の間隙が十分に開いていると、タイル端部同士を係合させ易く、好適である。
【００６５】
このような目的を達成するためには、第１２，１３図に示すタイルユニット３０のタイル３１のように、タイル間の目地間隙に臨むタイル端面（小口面）に凸部を設けるのが好ましい。
【００６６】
このタイルユニット３０は、最上段にタイル３４を配置し、その下段側に複数のタイル３１を配置し、それらの裏面に合成樹脂フィルム、紙等よりなる連結体１２を接着して連結し一体化したものである。タイル３４の上下の端面は平坦である。タイル３１は上側の端面に凸部３２が設けられ、下側の端面は平坦面となっている。
【００６７】
凸部３２は、タイル長手方向に延在する凸条よりなる。この凸条はタイルの上面の長手方向の全体にわたって設けられてもよいが、深目地調の外観を醸し出す場合には、長手方向の一部にだけ設けられていることが好ましい。長手方向の一部にだけ凸条を設ける場合には、長手方向の中間付近に設けるのが好ましいが、長手方向の両端側の２箇所に設けてもよく、さらに長手方向の３箇所以上に設けてもよい。第１２図（ｂ）のタイル３１Ａのように、突起状の凸部３３を複数個設けてもよい。
【００６８】
この凸部３２又は３３の高さは、タイル間の目地間隙と略等しいか、又はそれよりも若干小さいことが好ましく、具体的には、目地間隙の幅寸法をｃ（図示略）とした場合、凸部の高さがｃの６０〜９５％特に６０〜９０％とりわけ７０〜８５％程度であることが望ましい。
【００６９】
凸部３２又は３３の前後方向位置は、その目地間隙の深さをｄ（図示略）とした場合、凸部３２又は３３の最高位部の位置が連結体１２からｄの２０〜７０％特に２０〜６０％とりわけ３０〜５０％程度であることが望ましい。凸部３２又は３３の基底部のタイル厚み方向の幅は、ｄの５〜５０％特に１０〜３０％程度が望ましい。
【００７０】
このように凸部３２又は３３を設けることにより、タイルユニット３０は、第１１図（ｂ）に示した凹反り等の目地間隙を狭める変形が抑制ないし防止され、壁面への張り付け作業が容易となる。
【００７１】
第１４図は別の実施の形態に係るタイルユニット４０の縦断面図である。このタイルユニット４０は、複数枚の前記タイル３４を連結体１２で連結したものであるが、接着剤硬化物４１が目地間隙に介在している点が異なる。この接着剤硬化物４１は、連結体１２をタイル３４の裏面に接着する接着剤と一連一体となっている。
【００７２】
即ち、このタイルユニット４０を製造するに際し、連結体１２に接着剤を塗着しておき、この接着剤付き連結体１２を整列配置されたタイル３４の裏面に押し付け、余剰の接着剤を目地間隙に入り込ませ、そのまま硬化させて接着剤硬化物４１を形成する。
【００７３】
この接着剤硬化物４１が目地間隙に存在することにより、タイルユニット４０は目地間隙を狭めるように変形することが抑制され、タイルユニット４０が張り付け施工し易いものとなる。
【００７４】
この第１４図のタイルユニット４０のタイル３４は、縦断面が方形であり、裏面の上下の角縁が直角となっているが、第１５図のタイルユニット４０Ａのタイル３４Ａのように、裏面の上下の角縁を面落し状の斜面としてもよい。このタイル３４Ａを用いてタイルユニット４０Ａを製造する場合、連結体１２に塗着されていた接着剤が目地間隙に入り込み易くなる。第１５図のタイルユニット４０Ａのその他の構成はタイルユニット４０と同一である。
【００７５】
第１４図及び第１５図のタイルユニット４０，４０Ａにあっては、接着剤硬化物４１の最前面の位置が、連結体１２より目地深さｄの１０〜４０％特に１０〜３０％程度であることが望ましい。
【００７６】
第１６図（ａ）はさらに別の実施の形態に係るタイルユニット５０の縦断面図であり、第１６図（ｂ）はこれに用いられているタイル５３の斜視図である。
【００７７】
このタイルユニット５０は、タイル５１〜５８を連結体１２で連結したものであり、目地間隙に接着剤硬化物６０が介在している。最上段のタイル５１は上下両端面が平坦面である。２段目以降のタイル５２，５３，５４，５５，５６，５７，５８は、上側の端面に各々凸部５２ａ，５３ａ，５４ａ，５５ａ，５６ａ，５７ａ又は５８ａが設けられており、下側の端面は平坦面となっている。この凸部は第１６図（ｂ）の通り凸条よりなるものであるが、第１６図（ｃ）のタイル５３Ａのように突起５３ｃであってもよい。
【００７８】
この実施の形態では、タイル５１〜５８の後面の上下の角縁は面落し状の斜面５３ｂとなっている。
【００７９】
このタイルユニット５０を製造するには、タイルユニット４０と同様に、連結体１２に接着剤を塗着しておき、裏面が面一となるように整列配置されたタイル５１〜５８の該裏面に連結体１２を押し付けて接着する。この際、余剰の接着剤が目地間隙に入り込んで硬化することにより接着剤硬化物６０が形成される。
【００８０】
この実施の形態では、目地間隙維持手段として凸部５２ａ〜５８ａと接着剤硬化物６０の双方を設けており、タイルユニット５０は目地間隙を狭める方向にきわめて変形しにくいものとなっている。なお、凸部５２ａ〜５８ａの好ましい高さや位置、接着剤硬化物の好ましい量は上記説明の通りである。
【００８１】
このタイルユニット５０は、上下に隣接するタイル５１〜５８の面が出入りしており、凹凸感に富んだタイル張り壁面を構築することができる。この場合、目地深さｄは厚みの小さいタイルの前面から連結体１２までの距離として定義される。
【００８２】
上記実施の形態では、各段にタイルが１個のみ配置されているが、１つの段に２個以上のタイルを配置してもよい。第１７，１８図はそのようなタイルユニットの一例を示すものであり、第１７図はタイルユニット１０’の正面側からの斜視図、第１８図は背面側からの斜視図である。
【００８３】
このタイルユニット１０’では、第１段、第２段、第７段及び第８段に２個のタイル１１Ｌ，１１Ｒを配置している。各タイル１１Ｌ，１１Ｒはタイル１１を略半分の長さにしたものである。タイル１１Ｌ，１１Ｒは同一構成のものであるが、左側に配置したものについては、１１Ｌの符号を付し、右側に配置したものについては、１１Ｒの符号を付してある。符号６１，６２，６３，６４はタイル１１Ｌ，１１Ｒ同士の突き合わせ面を示している。
【００８４】
第１，２，７，８段に半分の長さのタイル１１Ｌ，１１Ｒを突き合わせて配置しているところから、この実施の形態では第１８図の通り連結体１２を４個用いている。なお、この実施の形態では突き合わせ面６１の鉛直下方に突き合わせ面６３が位置し、突き合わせ面６２の鉛直下方に突き合わせ面６４が位置している。そのため、４個の連結体１２によって各タイル１１，１１Ｌ，１１Ｒを連結することができ、タイルユニットの製造が簡単である。
【００８５】
このタイルユニット１０’のように、上下に隣接する段においてそれぞれタイル１１Ｌ，１１Ｒを配置する場合、タイル１１Ｌ，１１Ｒ同士の突き合わせ面は、隣接する段では左右方向にずれていることが好ましい。
【００８６】
ある段に突き合わせ面が設けられ、それよりも下方の段にも突き合わせ面が設けられ、これらの突き合わせ面の左右方向位置が同一である場合、これらの段同士の間には２段以上のタイルが存在することが好ましい。第１７，１８図では、突き合わせ面６１，６３間には５段のタイルが存在し、突き合わせ面６２，６４間にも５段のタイルが存在する。
【００８７】
上記実施の形態はいずれも本発明の一例であり、本発明は図示以外の形態をもとりうる。例えば、連結体は第３図に示した形状に限定されない。また、合成樹脂又は紙よりなるシート状連結体のほか、ガラス繊維等の高弾性率繊維のネットを用いてもよい。
【００８８】
本発明では、タイルが上下方向に延在するようにタイルユニットを壁面に張ってもよい。
【図面の簡単な説明】
【００８９】
【図１】実施の形態に係る平部用タイルユニットの正面図である。
【図２】図１の平部用タイルユニット１０の斜視図である。
【図３】図１の平部用タイルユニット１０の裏側の斜視図である。
【図４】図１の平部用タイルユニット１０の施工方法の説明図である。
【図５】構築されたタイル壁の立面図である。
【図６】隅用タイルユニット２０の正面図である。
【図７】隅用タイルユニット２０の斜視図である。
【図８】出隅における隅用タイルユニット２０の係合関係を示す斜視図である。
【図９】出隅の斜視図である。
【図１０】従来のタイルユニットの背後側からの斜視図である。
【図１１】従来のタイルユニットの施工方法を示す断面図と、タイルユニットの変形状況の説明図である。
【図１２】実施の形態に係るタイルユニット３０の斜視図である。
【図１３】図１２のタイルユニットのタイルを示す斜視図である。
【図１４】別の実施の形態に係るタイルユニット４０の縦断面図である。
【図１５】別の実施の形態に係るタイルユニット４０Ａの縦断面図である。
【図１６】さらに別の実施の形態に係るタイルユニット５０の構成図である。
【図１７】異なる実施の形態に係るタイルユニット１０’の正面側からの斜視図である。
【図１８】図１７のタイルユニット１０’の背面側からの斜視図である。
【符号の説明】
【００９０】
１，１０，１０’，２０，３０，４０，４０Ａ，５０  タイルユニット
２，２Ａ，１１，１１Ｌ，１１Ｒ，２１，２２，３１，３１Ａ，３４，３４Ａ，５１〜５８  タイル
３，１２  連結体
４  壁面
５  接着剤層
３２，３３，５２ａ〜５８ａ  凸部
４１，６０  接着剤硬化物
【図１】
2006083536.tif 000003
【図２】
2006083536.tif 000004
【図３】
2006083536.tif 000005
【図４】
2006083536.tif 000006
【図５】
2006083536.tif 000007
【図６】
2006083536.tif 000008
【図７】
2006083536.tif 000009
【図８】
2006083536.tif 000010
【図９】
2006083536.tif 000011
【図１０】
2006083536.tif 000012
【図１１】
2006083536.tif 000013
【図１２】
2006083536.tif 000014
【図１３】
2006083536.tif 000015
【図１４】
2006083536.tif 000016
【図１５】
2006083536.tif 000017
【図１６】
2006083536.tif 000018
【図１７】
2006083536.tif 000019
【図１８】
2006083536.tif 000020